(57)【要約】【課題】間仕切りパネルとして使用される軽量気泡コンクリートパネルを床スラブ上に固定する際に、施工効率を向上できるパネル下部取付金具を提供すること。【解決手段】パネル下部取付金具１は、ベース金具１０と、固定金具２０と、を備え、ベース金具１０は、断面Ｃ型状に形成され、床スラブ２００に固定される板状プレート１１と、板状プレート１１の短手方向の両端から上方に延びる一対の鉛直部１２と、一対の鉛直部１２の上端から、それぞれ板状プレート１１の短手方向中央部へ延びる一対の水平部１３と、を有し、一対の水平部１３は、後方側において、互いの間隔が上面視で、前方から後方に向かって開くハの字状にテーパーがきられているガイド部１３１を有し、固定金具２０は、ベース金具１０の水平部１３の後方側から、一対の水平部１３の間に挿入されて、ベース金具１０と係合する。【選択図】図１
2014043688.tif 000002
【特許請求の範囲】
【請求項１】
間仕切りパネルとして使用される軽量気泡コンクリートパネルを床スラブに固定するためのパネル下部取付金具であって、
前記床スラブに固定されるベース金具と、前記軽量気泡コンクリートパネルの下端面に取り付けられ、前記ベース金具と係合する固定金具と、を備え、
前記ベース金具は、断面Ｃ型状に形成され、
前記軽量気泡コンクリートパネルの厚さより小さい寸法の幅で形成され、前記床スラブに固定される板状プレートと、
前記板状プレートの長手方向中央部から前方において、前記板状プレートの短手方向の両端から上方に延びる一対の鉛直部と、
一対の前記鉛直部の上端から、それぞれ前記板状プレートの短手方向中央部へ延びる一対の水平部と、を有し、
一対の前記水平部は、後方側において、互いの間隔が上面視で、前方から後方に向かって開くハの字状にテーパーがきられているガイド部を有し、
前記固定金具は、前記軽量気泡コンクリートパネルの下端面に取り付けられた状態で、ベース金具の前記水平部の後方側から、一対の前記水平部の間に挿入されて、前記ベース金具と係合するパネル下部取付金具。
【請求項２】
前記固定金具は、断面門型状に形成され、
前記軽量気泡コンクリートパネルの下端面と当接し、一対の前記水平部の間隔と略同じ幅で形成された平面部と、
前記平面部より上方に向かって延び、前記軽量気泡コンクリートパネルの下端面において穿孔された挿入穴内に挿入される棒状体と、
前記平面部の前記短手方向の両端から下方に延びる一対の脚部と、を有し、
一対の前記脚部は、
前端側において、前記板状プレートの厚み相当分、下方に突出する突出部と、
後端において、それぞれ、前記短手方向の外側に突出する止め部と、を有し、
前記突出部の後端から前記止め部までの寸法は、前記板状プレートの前端から前記鉛直部の後端までの寸法と同じである請求項１に記載のパネル下部取付金具。
【請求項３】
請求項１又は２に記載のパネル下部取付金具によるパネル取付方法であって、
前記軽量気泡コンクリートパネルに、前記固定金具を装着する固定金具装着工程と、
前記軽量気泡コンクリートパネルに装着された前記固定金具を、前記床スラブに固定された前記ベース金具の前記板状プレート上であって、前記ガイド部の後方に仮置きする仮置き工程と、
前記固定金具を、前記ベース金具の前方にスライドさせて、一対の水平部の間に挿入し、ベース金具と係合させる係合工程と、を含むパネル取付方法。
【発明の詳細な説明】
【技術分野】
【０００１】
本発明は、パネル下部取付金具及びパネル取付方法に関し、詳しくは、間仕切りパネルとして使用される軽量気泡コンクリートパネルを床スラブに固定するためのパネル下部取付金具及びパネル取付方法に関する。
【背景技術】
【０００２】
従来、軽量気泡コンクリートパネル（以下、ＡＬＣパネルとも言う）、押し出し成型版等のプレキャストパネルは、建築物の内部において、部屋の間仕切りとして用いられている。このようなパネル（以降、間仕切りパネルとも言う）は、床スラブ等の水平面上に、パネル下部取付金具により固定される。
【０００３】
このようなパネル下部取付金具として、間仕切りパネル下部小口面の長手方向両側に延びる固定部と、この固定部の中間に挿通部を有する隆起部と挿通用の孔とからなるベース部、間仕切りパネル下部小口面を支持する支持板と、この支持板から上方に突出し、間仕切りパネル下部小口面に設けた固定孔に挿入される支持柱と、支持板の両端において下方へ突出し、ベース部材の挿通部と連通可能な中空部を有する一対の逆段差部とからなるパネル支持部材、およびベース部材の隆起部の挿通部と、パネル支持部材の逆段差部の中空部とに挿入され、ベース部材とパネル支持部材とを連結する固定プレートとから構成されるパネル下部取付金具が提案されている（特許文献１参照）。
【０００４】
特許文献１のパネル下部取付金具によれば、まず、ベース部材を床スラブ上に固定し、次いで、パネル下部小口面に設けた固定孔に、パネル支持部材の支持柱を挿入し、このパネル支持部材の逆段差部をベース部材の隆起部に重ねて両者を位置合わせする。その後、ベース部材の隆起部とパネル支持部材の逆段差部との間に連通した挿通部および中空部へ、固定プレートを挿入することにより、ベース部材とパネル支持部材とを連結することで、パネルを床スラブに固定できる。
【先行技術文献】
【特許文献】
【０００５】
【特許文献１】特開２００５−４８４９２号公報
【発明の概要】
【発明が解決しようとする課題】
【０００６】
しかしながら、特許文献１のパネル下部取付金具は、ベース部材の隆起部と支持部材の逆段差部との間に連通した挿通部及び中空部に固定プレートを挿入することで、間仕切りパネルを床スラブ等に固定する。このとき、施工者は、固定プレートを挿入可能なように、挿通部及び中空部が連通しているか否かを確認する必要がある。ところが、挿通部及び中空部は、床スラブ等と間仕切りパネル下部小口面との間に配置されているため、確認することが困難であり、固定プレートを挿入することは非常に施工効率を落とすこととなっていた。
【０００７】
本発明は、上記課題に鑑みて提案するものであって、間仕切りパネルとして使用される軽量気泡コンクリートパネルを床スラブ上に固定する際に、施工効率を向上できるパネル下部取付金具を提供することを目的とする。
【課題を解決するための手段】
【０００８】
（１）  間仕切りパネルとして使用される軽量気泡コンクリートパネルを床スラブに固定するためのパネル下部取付金具であって、前記床スラブに固定されるベース金具と、前記軽量気泡コンクリートパネルの下端面に取り付けられ、前記ベース金具と係合する固定金具と、を備え、前記ベース金具は、断面Ｃ型状に形成され、前記軽量気泡コンクリートパネルの厚さより小さい寸法の幅で形成され、前記床スラブに固定される板状プレートと、前記板状プレートの長手方向中央部から前方において、前記板状プレートの短手方向の両端から上方に延びる一対の鉛直部と、一対の前記鉛直部の上端から、それぞれ前記板状プレートの短手方向中央部へ延びる一対の水平部と、を有し、一対の前記水平部は、後方側において、互いの間隔が上面視で、前方から後方に向かって開くハの字状にテーパーがきられているガイド部を有し、前記固定金具は、前記軽量気泡コンクリートパネルの下端面に取り付けられた状態で、ベース金具の前記水平部の後方側から、一対の前記水平部の間に挿入されて、前記ベース金具と係合するパネル下部取付金具。
【０００９】
（１）の発明によれば、パネル下部取付金具は、間仕切りパネルとして使用される軽量気泡コンクリートパネルを床スラブに固定する。固定金具は、床スラブに固定されるベース金具と、軽量気泡コンクリートパネルの下端面に取り付けられ、ベース金具と係合する固定金具と、を備えた。ベース金具は、断面Ｃ型状に形成され、軽量気泡コンクリートパネルの厚さより小さい寸法の幅で形成され、床スラブに固定される板状プレートと、板状プレートの長手方向中央部から前方において、板状プレートの短手方向の両端から上方に延びる一対の鉛直部と、一対の鉛直部の上端から、それぞれ板状プレートの短手方向中央部へ延びる一対の水平部と、を有した。一対の水平部は、後方側において、互いの間隔が上面視で、前方から後方に向かって開くハの字状にテーパーがきられているガイド部を有した。固定金具は、軽量気泡コンクリートパネルの下端面に取り付けられた状態で、ベース金具の水平部の後方側から、一対の水平部の間に挿入されて、ベース金具と係合させた。
【００１０】
（１）の発明によれば、軽量気泡コンクリートパネルは、以下の手順で床スラブに固定される。
まず、軽量気泡コンクリートパネルに固定金具を装着する。
そして、軽量気泡コンクリートパネルを立て起こし、軽量気泡コンクリートパネルに装着された固定金具を、床スラブに固定されたベース金具の板状プレート上であって、ガイド部の後方に仮置きする。固定金具と板状プレートとは金具同士であるため容易にスライドできるので、固定金具を、ベース金具の前方にスライドさせて、一対の水平部の間に挿入し、ベース金具と係合させる。
【００１１】
これにより、軽量気泡コンクリートパネルに装着された固定金具は、ベース金具の一対の水平部に挟持されるので、軽量気泡コンクリートパネルの前後、左右の動きが拘束され、軽量気泡コンクリートパネル下部の取り付けが無溶接且つ強固に、軽量気泡コンクリートパネルを床スラブに固定できる。
【００１２】
よって、溶接等の別の作業を行うことなく、また、目視しづらい軽量気泡コンクリートパネルと床スラブとの間に配置されるパネル下部取付金具を確認しなくとも確実に軽量気泡コンクリートパネルを床スラブに固定できる。したがって、間仕切りパネルとして使用される軽量気泡コンクリートパネルを床スラブ上に固定する際に、施工効率を向上できるパネル下部取付金具を提供できる。
また、パネル下部取付金具のうち最も幅の広い板状プレートを、軽量気泡コンクリートパネルの厚さより小さい寸法の幅で形成したので、軽量気泡コンクリートパネルの表裏側にパネル下部取付金具が露出しないので、仕上げ処理工程において、露出した金具を隠すための処理が不要となり、更に施工効率を向上できる。
【００１３】
（２）  前記固定金具は、断面門型状に形成され、前記軽量気泡コンクリートパネルの下端面と当接し、一対の前記水平部の間隔と略同じ幅で形成された平面部と、前記平面部より上方に向かって延び、前記軽量気泡コンクリートパネルの下端面において穿孔された挿入穴内に挿入される棒状体と、前記平面部の前記短手方向の両端から下方に延びる一対の脚部と、を有し、一対の前記脚部は、前端側において、前記板状プレートの厚み相当分、下方に突出する突出部と、後端において、それぞれ、前記短手方向の外側に突出する止め部と、を有し、前記突出部の後端から前記止め部までの寸法は、前記板状プレートの前端から前記鉛直部の後端までの寸法と同じである（１）に記載のパネル下部取付金具。
【００１４】
（２）の発明によれば、固定金具は、断面門型状に形成した。また、固定金具は、軽量気泡コンクリートパネルの下端面と当接し、一対の水平部の間隔と略同じ幅で形成された平面部と、平面部より上方に向かって延び、軽量気泡コンクリートパネルの下端面において穿孔された挿入穴内に挿入される棒状体と、平面部の短手方向の両端から下方に延びる一対の脚部と、を有した。一対の脚部は、前端側において、板状プレートの厚み相当分、下方に突出する突出部と、後端において、それぞれ、短手方向の外側に突出する止め部と、を有した。また、突出部の後端から止め部までの寸法は、板状プレートの前端から鉛直部の後端までの寸法と同じとした。
【００１５】
（２）の発明によれば、軽量気泡コンクリートパネルは、以下の手順で床スラブに固定される。
まず、軽量気泡コンクリートパネルの挿入穴に、固定金具の棒状体を挿入し、平面部に軽量気泡コンクリートパネルを当接させる。
そして、軽量気泡コンクリートパネルを立て起こし、軽量気泡コンクリートパネルに装着された固定金具を、床スラブに固定されたベース金具の板状プレート上であって、ガイド部の後方に仮置きする。固定金具と板状プレートとは金具同士であるため容易にスライドできるので、固定金具を、脚部の突出部が板状プレートの前端を越えるまで、ベース金具を前方にスライドさせ、突出部の高さ分下方に沈み込ませる。すると、固定金具の脚部とベース金具の板状プレートとが当接するとともに、固定金具の止め部とベース金具の鉛直部の後端とが当接する。
【００１６】
これにより、（１）の作用効果に加え、例えば、地震時には、軽量気泡コンクリートパネル面において水平方向に慣性力が働き軽量気泡コンクリートパネルが前後に動き出そうとする荷重が発生するが、この荷重は、軽量気泡コンクリートパネルの下端面より挿入された棒状体から固定金具に伝達され、固定金具からベース金具に伝達される。更には、ベース金具をコンクリートスラブに固定しているので、構造体であるコンクリートスラブに地震による荷重を伝達できる。
【００１７】
（３）  （１）は（２）に記載のパネル下部取付金具によるパネル取付方法であって、前記軽量気泡コンクリートパネルに前記固定金具を装着する固定金具装着工程と、前記軽量気泡コンクリートパネルに装着された前記固定金具を、前記床スラブに固定された前記ベース金具の前記板状プレート上であって、前記ガイド部の後方に仮置きする仮置き工程と、前記固定金具を、前記ベース金具の前方にスライドさせて、一対の水平部の間に挿入し、ベース金具と係合させる係合工程と、を含むパネル取付方法。
【００１８】
（３）の発明によれば、（１）又は（２）の発明と同様の作用効果に加え、例えば、軽量気泡コンクリートパネルを金物により構造体に固定するロッキング構法の下部取付において、軽量気泡コンクリートパネルの厚さ内に納まるベース金具と固定金具により、無溶接であり且つ強固に取り付けが可能となる。
【発明の効果】
【００１９】
本発明によれば、間仕切りパネルとして使用される軽量気泡コンクリートパネルを床スラブ上に固定する際に、施工効率を向上できるパネル下部取付金具を提供できる。
【図面の簡単な説明】
【００２０】
【図１】本発明の実施形態に係るパネル下部取付金具の概要を説明する図である。
【図２】前記実施形態に係るベース金具の平面図である。
【図３】前記実施形態に係るベース金具の側面図である。
【図４】前記実施形態に係る固定具の平面図である。
【図５】前記実施形態に係る固定具の側面図である。
【図６】前記実施形態に係るパネル下部取付金具により、ＡＬＣパネルを床スラブに固定する方法を説明する図である。
【図７】前記実施形態に係るパネル下部取付金具により、ＡＬＣパネルを床スラブに固定する方法を説明する図である。
【発明を実施するための形態】
【００２１】
以下に、本発明の実施形態について説明する。
図１は、本発明の実施形態に係るパネル下部取付金具１の概要を説明する図である。
本発明の実施形態に係るパネル下部取付金具１は、間仕切りパネルとして使用される軽量気泡コンクリートパネル（以下、ＡＬＣパネルとも言う）１００を床スラブ２００に固定する金具であり、床スラブ２００に固定されるベース金具１０と、ＡＬＣパネル１００の下端面１００ａに取り付けられ、ベース金具１０と係合する固定金具２０と、を備える。
本実施形態において、ＡＬＣパネル１００は、ＡＬＣパネルで構成されるが、ＡＬＣパネルに限らず、押し出し成型版等のプレキャストパネルで構成してもよい。
【００２２】
図２は、前記実施形態に係るベース金具１０の平面図である。
図３は、前記実施形態に係るベース金具１０の側面図である。
ベース金具１０は、長手方向（図２中前後方向）中央部から前方側が断面Ｃ型状に形成され、長手方向（図２中前後方向）中央部から後方側が平面形状に形成されている。
ベース金具１０は、床スラブ２００に固定される板状プレート１１と、板状プレート１１の短手方向（図２中左右方向）の両端から上方に延びる一対の鉛直部１２と、一対の鉛直部１２の上端から、それぞれ板状プレート１１の短手方向中央部へ延びる一対の水平部１３と、を備える。
【００２３】
板状プレート１１は、平面視凸型状に形成され、短手方向（図２中左右方向）の幅の広い部分の寸法がＡＬＣパネル１００の厚さｄ（例えば、１００ｍｍ）より小さい寸法であり、厚さｄの半分より大きい寸法の幅（例えば、８０ｍｍ）で形成されている。
板状プレート１１には、打鋲ピンが挿通する孔１１ａが形成されている。ベース金具１０は、打鋲ピンが孔１１ａを挿通し床スラブ２００に打ち込まれることで、床スラブ２００に固定される。
【００２４】
一対の鉛直部１２は、板状プレート１１における、長手方向中央部から前方、即ち、短手方向（図２中左右方向）の幅の狭い部分の両端に形成されている。一対の鉛直部１２は、板状プレート１１の上面から上端までの高さが所定寸法Ｈで形成されている。また、一対の鉛直部１２は、板状プレート１１の前端から後端に向けて、所定寸法Ｗで形成されている。
【００２５】
一対の水平部１３は、短手方向（図２中左右方向）における互いの間隔が、前方から中央部過ぎまで所定寸法Ｄで配置され、中央部より後側（例えば、中央部と後端の中間部）から後端に向かって、平面視で、前方から後方に向かって開くハの字状にテーパーがきられているガイド部１３１を備える。
【００２６】
図４は、前記実施形態に係る固定具２０の平面図である。
図５は、前記実施形態に係る固定具２０の側面図である。
固定金具２０は、断面門型状に形成され、ＡＬＣパネル１００の下端面１００ａに取り付けられた状態で、ベース金具１０（図２参照）の水平部１３（図２参照）の後方側から、一対の水平部１３の間に挿入されて、ベース金具１０と係合する。
【００２７】
固定金具２０は、ＡＬＣパネル１００の下端面１００ａと当接する平面部２１と、平面部２１より上方に向かって延びる棒状体２２と、
平面部２１の短手方向（図４中左右方向）の両端から下方に延びる一対の脚部２３と、を備える。
【００２８】
平面部２１は、一対の水平部１３（図２参照）の間隔（図２中の所定寸法Ｄ）と略同じ幅又は僅かに小さい幅（例えば、所定寸法Ｄが５０ｍｍであれば、５０ｍｍ）で形成されている。
【００２９】
棒状体２２は、ＡＬＣパネル１００の下端面１００ａの略幅中央において穿孔された挿入穴１００ｂ内に挿入される。
【００３０】
一対の脚部２３は、一対の鉛直部１２における、板状プレート１１の上面から上端までの高さが所定寸法Ｈより大きい寸法の高さ（例えば、所定寸法Ｈが２５ｍｍであれば、例えば、３０ｍｍ）で形成されている。
一対の脚部２３は、前端側において、板状プレート１１の厚み相当分、下方に突出する突出部２３１と、後端において、それぞれ、短手方向（図４中左右方向）の外側に突出する止め部２３２、を備える。
突出部２３１の後端から止め部２３２までの寸法Ｌは、板状プレート１１の前端から鉛直部１２（図３参照）の後端までの寸法Ｗ（図３参照）と同じである。
【００３１】
次に、パネル下部取付金具１によるパネル取付方法について説明する。
図６及び図７は、前記実施形態に係るパネル下部取付金具１により、ＡＬＣパネル１００を床スラブ２００に固定する方法を説明する図である。
まず、施工者は、床スラブ２００上にＡＬＣパネル１００の壁芯を墨出しする。そして、この壁芯を基準に、ＡＬＣパネル１００の幅方向及び厚さ方向の中心となる所定位置にベース金具１０を打鋲ピンにより床スラブ２００に固定する。また、施工者は、ＡＬＣパネル１００の挿入穴１００ｂに、固定金具２０の棒状体２２を挿入し、平面部２１にＡＬＣパネル１００の下端面１００ａを当接させる。
そして、図６に示すように、施工者は、ＡＬＣパネル１００を立て起こし、ＡＬＣパネル１００に装着した固定金具２０を、床スラブ２００に固定されたベース金具１０の板状プレート１１上であって、ガイド部１３１の後方に仮置きする。
【００３２】
次に、図７に示すように、施工者は、固定金具２０を、脚部２３の突出部２３１が板状プレート１１の前端を越えるまで、ベース金具１０の前方にスライドさせ、突出部２３１の高さ分下方に沈み込ませる。すると、固定金具２０の脚部２３とベース金具１０の板状プレート１１とが当接するとともに、固定金具２０の止め部２３２とベース金具１０の鉛直部１２の後端とが当接する。これにより、ＡＬＣパネル１００は、床スラブ２００に固定される。
【００３３】
よって、パネル下部取付金具１によれば、溶接等の別の作業を行うことなく、また、目視しづらいＡＬＣパネル１００と床スラブ２００との間に配置されるパネル下部取付金具１を確認しなくとも確実にＡＬＣパネル１００を床スラブ２００に固定できる。したがって、間仕切りパネルとして使用されるＡＬＣパネルを床スラブ上に固定する際に、施工効率を向上できるパネル下部取付金具を提供できる。
【００３４】
また、パネル下部取付金具１のうち最も幅の広い板状プレート１１を、ＡＬＣパネル１００の厚さより小さい寸法の幅で形成したので、仕上げ処理工程において、露出した金具を隠すための処理が不要となり、更に施工効率を向上できる。
【００３５】
また、地震時には、ＡＬＣパネル１００の面において水平方向に慣性力が働きＡＬＣパネル１００が前後に動き出そうとする荷重が発生するが、この荷重は、ＡＬＣパネル１００の下端面１００ａより挿入された棒状体２２から固定金具２０に伝達され、固定金具２０からベース金具１０に伝達される。更には、ベース金具１０を床スラブ２００に固定しているので、構造体である床スラブ２００に地震による荷重を伝達できる。
【００３６】
また、ＡＬＣパネル１００を金物により構造体に固定するロッキング構法の下部取付において、ＡＬＣパネル１００の厚さ内に納まるベース金具１０と固定金具２０により、無溶接であり且つ強固に取り付けが可能となる。
【産業上の利用可能性】
【００３７】
本発明は、例えば、間仕切りパネルとして使用される軽量気泡コンクリートパネルを床スラブに固定するためのパネル下部取付金具及びパネル取付方法に利用することができる。
【符号の説明】
【００３８】
１      パネル下部取付金具
１０    ベース金具
１１    板状プレート
１２    鉛直部
１３    水平部
１３１  ガイド部
２０    固定具
２０    固定金具
２１    平面部
２２    棒状体
２３    脚部
２３１  突出部
２３２  止め部
１００  ＡＬＣパネル
２００  床スラブ
【図１】
2014043688.tif 000003
【図２】
2014043688.tif 000004
【図３】
2014043688.tif 000005
【図４】
2014043688.tif 000006
【図５】
2014043688.tif 000007
【図６】
2014043688.tif 000008
【図７】
2014043688.tif 000009